(57)【要約】【課題】操作性および耐久性を向上させること。【解決手段】実施形態に係る排水弁装置は、弁体と、軸部と、引き上げ部と、軸ガイド部と、摺動面と、被摺動面とを備える。弁体は、排水口の上方に設けられ、排水口を開閉する。軸部は、弁体から上方へ延びる。引き上げ部は、軸部を上方へ引き上げる。軸ガイド部は、軸部の外側周面の外側に軸部の軸方向に沿って設けられ、軸部の引き上げ操作に伴う軸部の移動をガイドする。摺動面は、軸部の外側周面に設けられ、軸部の移動によって軸ガイド部の内側周面に対して摺動する。被摺動面は、軸ガイド部の内側周面に設けられ、軸部の摺動面を摺動させる。摺動面および被摺動面の少なくともいずれか一方は、摺動面と被摺動面との接触部分が軸部の移動に伴い流動的に変化する形状を有する。【選択図】図６Ｃ
2018044412.tif 000002
【特許請求の範囲】
【請求項１】
排水口の上方に設けられ、前記排水口を開閉する弁体と、
前記弁体の上方に設けられ、前記弁体から上方へ延びる軸部と、
前記軸部を上方へ引き上げる引き上げ部と、
前記軸部の外側周面の外側に設けられるとともに該軸部の軸方向に沿って設けられ、前記引き上げ部による前記軸部の引き上げ操作に伴う該軸部の移動をガイドする軸ガイド部と、
前記軸部の前記外側周面に設けられ、前記軸部の移動によって前記軸ガイド部の内側周面に対して摺動する摺動面と、
前記軸ガイド部の前記内側周面に設けられ、前記軸部の前記摺動面を摺動させる被摺動面と
を備え、
前記摺動面および前記被摺動面の少なくともいずれか一方は、前記摺動面と前記被摺動面との接触部分が前記軸部の移動に伴い流動的に変化する形状を有すること
を特徴とする排水弁装置。
【請求項２】
前記軸部は、
前記摺動面において、前記被摺動面に対する接触部分が前記軸部の移動に伴い流動的に変化するような凸部を有すること
を特徴とする請求項１に記載の排水弁装置。
【請求項３】
前記軸ガイド部は、
前記被摺動面において、前記摺動面に対する接触部分が前記軸部の移動に伴い流動的に変化するような凸部を有すること
を特徴とする請求項１または２に記載の排水弁装置。
【請求項４】
前記摺動面および前記被摺動面の少なくともいずれか一方は、側面視において前記軸部の移動方向に凹部と凸部とが交互に連続する形状であり、かつ、正面視において前記凸部が前記軸部の移動方向に連続する直線状の稜線となる形状であること
を特徴とする請求項１に記載の排水弁装置。
【請求項５】
前記凹部および前記凸部のうち、一方がひし形に形成され、他方がメッシュ状に形成されること
を特徴とする請求項４に記載の排水弁装置。
【請求項６】
前記軸部は、
前記弁体の中心から上方へ延びており、前記引き上げ部との連結部が平面視において前記弁体の中心から外れていること
を特徴とする請求項１から５のいずれか１つに記載の排水弁装置。
【請求項７】
請求項１から６のいずれか１つに記載の排水弁装置と、
洗浄水が貯留されるタンク部と
を備えること
を特徴とする洗浄水タンク。
【請求項８】
請求項７に記載の洗浄水タンクと、
便器と
を備えること
を特徴とする水洗大便器。
【発明の詳細な説明】
【技術分野】
【０００１】
開示の実施形態は、排水弁装置、洗浄水タンクおよび水洗大便器に関する。
【背景技術】
【０００２】
従来、洗浄水タンクの内部に設置される排水弁装置は、使用者による操作レバーの引き上げ操作やスイッチ操作に応じて、弁体から上方へ延びる軸部が引き上げ部によって引き上げられ、これに伴い、弁体が排水口を開放する。
【０００３】
また、かかる排水弁装置には、軸部の上下方向の移動をガイドする軸ガイド部が軸部の外側周面を囲むように軸方向に沿って設けられ、軸部の摺動面が軸ガイド部の被摺動面を上下方向に摺動するものがある（たとえば、特許文献１参照）。
【先行技術文献】
【特許文献】
【０００４】
【特許文献１】特開２０１６−６９８７３号公報
【発明の概要】
【発明が解決しようとする課題】
【０００５】
しかしながら、上記したような従来の排水弁装置では、軸部の摺動面が軸ガイド部の被摺動面に対して摺動する動作を繰り返すため、長期間の使用によって、摺動面および被摺動面が鏡面のように磨かれることがわかった。これにより、摺動面および被摺動面の親和性が増して、摺動抵抗が増大してしまう。このため、軸部の引き上げ操作に強い力が必要となり、操作性および耐久性が悪化していた。
【０００６】
実施形態の一態様は、操作性および耐久性を向上させることができる排水弁装置、洗浄水タンクおよび水洗大便器を提供することを目的とする。
【課題を解決するための手段】
【０００７】
実施形態の一態様に係る排水弁装置は、排水口の上方に設けられ、前記排水口を開閉する弁体と、前記弁体の上方に設けられ、前記弁体から上方へ延びる軸部と、前記軸部を上方へ引き上げる引き上げ部と、前記軸部の外側周面の外側に設けられるとともに該軸部の軸方向に沿って設けられ、前記引き上げ部による前記軸部の引き上げ操作に伴う該軸部の移動をガイドする軸ガイド部と、前記軸部の前記外側周面に設けられ、前記軸部の移動によって前記軸ガイド部の内側周面に対して摺動する摺動面と、前記軸ガイド部の前記内側周面に設けられ、前記軸部の前記摺動面を摺動させる被摺動面とを備え、前記摺動面および前記被摺動面の少なくともいずれか一方は、前記摺動面と前記被摺動面との接触部分が前記軸部の移動に伴い流動的に変化する形状を有することを特徴とする。
【０００８】
かかる構成によれば、軸部が移動する場合に、摺動面および被摺動面（以下、かかる２つの面を「両面」という場合がある）は、摺動方向（軸部の移動方向）に連続的に接触するものの、互いの接触部分が変化する。このため、任意の位置においては両面の同じ部分の連続接触が抑制され、たとえば、軸部の引き上げを多数回行うことによって、両面が研磨されることによる親和性の増大を抑えることができる。
【０００９】
これにより、両面の摺動抵抗の増大を抑えることができる。両面の摺動抵抗の増大を抑えることで、軸部の引き上げ操作に必要な力が増大するのを抑えることができる。すなわち、軸部の引き上げ操作にかかる操作性、および軸部の移動機構、すなわち、軸部および軸ガイド部の耐久性を向上させることができる。
【００１０】
また、両面の間に異物が入り込んでも、両面の接触していない部分に異物を逃がすことができるため、軸部の移動に対する悪影響を抑えることができる。これにより、軸部の移動機構、すなわち、軸部および軸ガイド部の耐久性を向上させることができる。
【００１１】
また、上記した排水弁装置では、前記摺動面において、前記被摺動面に対する接触部分が前記軸部の移動に伴い流動的に変化するような凸部を有することを特徴とする。
【００１２】
かかる構成によれば、軸部の摺動面において凸部が軸部の移動に伴い流動的に変化する形状であるため、軸部の摺動面は、軸ガイド部の被摺動面に対して摺動方向（軸部の移動方向）に連続的に接触するものの、接触部分が変化し、任意の位置においては両面の同じ部分の連続接触が抑制され、被摺動面との摺動抵抗の増大を抑えることができる。被摺動面に対する摺動抵抗の増大を抑えることで、軸部の引き上げ操作に必要な力が増大するのを抑えることができる。
【００１３】
また、上記した排水弁装置では、前記軸ガイド部は、前記被摺動面において、前記摺動面に対する接触部分が前記軸部の移動に伴い流動的に変化するような凸部を有することを特徴とする。
【００１４】
かかる構成によれば、軸ガイド部の被摺動面において凸部が軸部の移動に伴い流動的に変化する形状であるため、軸ガイド部の被摺動面は、軸部の摺動面に対して摺動方向（軸部の移動方向）に連続的に接触するものの、接触部分が変化し、任意の位置においては両面の同じ部分の連続接触が抑制され、摺動面との摺動抵抗の増大を抑えることができる。摺動面に対する摺動抵抗の増大を抑えることで、軸部の引き上げ操作に必要な力が増大するのを抑えることができる。
【００１５】
また、上記した排水弁装置では、前記摺動面および前記被摺動面の少なくともいずれか一方は、側面視において前記軸部の移動方向に凹部と凸部とが交互に連続する形状であり、かつ、正面視において前記凸部が前記軸部の移動方向に連続する直線状の稜線となる形状であることを特徴とする。
【００１６】
かかる構成によれば、軸部の摺動面および軸ガイド部の被摺動面の少なくともいずれか一方が、軸部の移動に伴い流動的に変化する形状となる。これにより、軸部が移動する場合に、摺動面および被摺動面は、摺動方向（軸部の移動方向）に連続的に接触するものの、互いの接触部分が変化する。このため、任意の位置においては両面の同じ部分の連続接触が抑制され、両面の摺動抵抗の増大を抑えることができる。このように、両面の摺動抵抗の増大を抑えることで、軸部の引き上げ操作に必要な力が増大するのを抑えることができる。
【００１７】
また、上記した排水弁装置では、前記凹部および前記凸部のうち、一方がひし形に形成され、他方がメッシュ状に形成されることを特徴とする。かかる構成によれば、凸部が、軸部の移動に伴い流動的に変化する形状となる。これにより、軸部が移動する場合に、摺動面および被摺動面は、摺動方向（軸部の移動方向）に連続的に接触するものの、互いの接触部分が変化する。このため、任意の位置においては両面の同じ部分の連続接触が抑制され、両面の摺動抵抗の増大を抑えることができる。このように、両面の摺動抵抗の増大を抑えることで、軸部の引き上げ操作に必要な力が増大するのを抑えることができる。
【００１８】
また、上記した排水弁装置では、前記軸部は、前記弁体の中心から上方へ延びており、前記引き上げ部との連結部が平面視において前記弁体の中心から外れていることを特徴とする。かかる構成によれば、軸部および引き上げ部の連結部が弁体の中心から外れている場合、引き上げ部による軸部の引き上げ操作によって、回転モーメントが発生して摺動面および被摺動面において局所的に大きな力が加わっても、両面の摺動抵抗の増大を抑えることで、軸部の引き上げ操作に必要な力が増大するのを抑えることができる。
【００１９】
さらに、実施形態の一態様に係る洗浄水タンクは、前記排水弁装置と、洗浄水が貯留されるタンク部とを備えることを特徴とする。かかる構成によれば、排水弁装置の軸部が移動する場合に、摺動面および被摺動面の摺動抵抗の増大を抑えることができる。これにより、軸部の引き上げ操作に必要な力が増大するのを抑えることができる。すなわち、排水弁装置における軸部の引き上げ操作にかかる操作性、および軸部の移動機構、すなわち、軸部および軸ガイド部の耐久性を向上させることができる。
【００２０】
また、実施形態の一態様に係る水洗大便器は、前記洗浄水タンクと、便器とを備えることを特徴とする。かかる構成によれば、排水弁装置の軸部が移動する場合に、摺動面および被摺動面の摺動抵抗の増大を抑えることができる。これにより、軸部の引き上げ操作に必要な力が増大するのを抑えることができる。すなわち、排水弁装置における軸部の引き上げ操作にかかる操作性、および軸部の移動機構、すなわち、軸部および軸ガイド部の耐久性を向上させることができる。
【発明の効果】
【００２１】
実施形態の一態様によれば、操作性および耐久性を向上させることができる。
【図面の簡単な説明】
【００２２】
【図１】図１は、実施形態に係る水洗大便器の概略斜視図である。
【図２】図２は、実施形態に係る洗浄水タンクの概略正断面図である。
【図３】図３は、実施形態に係る洗浄水タンクの概略右側断面図である。
【図４】図４は、実施形態に係る排水弁装置の概略平断面図である。
【図５Ａ】図５Ａは、実施形態に係る排水弁装置の小洗浄排水動作の説明図である。
【図５Ｂ】図５Ｂは、実施形態に係る排水弁装置の大洗浄排水動作の説明図である。
【図６Ａ】図６Ａは、実施形態に係る排水弁装置の軸部の概略正面視図である。
【図６Ｂ】図６Ｂは、実施形態に係る排水弁装置の軸部のリブ部の概略拡大側面視図である。
【図６Ｃ】図６Ｃは、実施形態に係る排水弁装置の摺動面の概略拡大斜視図である。
【図７】図７は、実施形態に係る排水弁装置の摺動面の変形例１の概略拡大斜視図である。
【図８】図８は、実施形態に係る排水弁装置の摺動面の変形例２の概略拡大斜視図である。
【図９】図９は、実施形態に係る排水弁装置の摺動面の変形例３の概略拡大斜視図である。
【図１０Ａ】図１０Ａは、他の例のケーシングの胴部の概略正面視図である。
【図１０Ｂ】図１０Ｂは、他の例のケーシングの胴部の軸ガイド部の被摺動面の概略拡大正面視図である。
【発明を実施するための形態】
【００２３】
以下、添付図面を参照して、本願の開示する排水弁装置、洗浄水タンクおよび水洗大便器の実施形態を詳細に説明する。なお、以下に示す実施形態によりこの発明が限定されるものではない。
【００２４】
＜１．水洗大便器＞
まず、図１を参照して実施形態に係る水洗大便器１について説明する。図１は、実施形態に係る水洗大便器１の概略斜視図である。なお、図１においては、説明をわかりやすくするために、鉛直上向きを正方向とするＺ軸を含む３次元の直交座標系を図示している。なお、かかる直交座標系は、他の図においても図示している場合がある。
【００２５】
また、かかる直交座標系は、Ｘ軸の正方向視を「左側面」、Ｘ軸の負方向視を「右側面」と規定し、Ｙ軸の負方向視を「正面」と規定している。このため、以下の説明では、Ｘ軸方向を左右方向、Ｙ軸方向を前後方向、Ｚ軸方向を上下方向という場合がある。
【００２６】
図１に示すように、水洗大便器１は、便器本体２と、洗浄水タンク１０とを備える。便器本体（以下、「便器」という）には、汚物を受けるボウル部３が設けられる。便器２には、上部に、たとえば便座（図示省略）が設けられる。
【００２７】
洗浄水タンク１０は、便器２の後方上部に設置される。洗浄水タンク１０は、タンク部１１と、蓋部１２とを備える。タンク部１１は、上面が開口された直方体状の容器であり、便器２のボウル部３を洗浄する洗浄水を貯留する。タンク部１１の底面１１ａには、底面１１ａを上下方向に貫通する排水口１３が設けられる。
【００２８】
蓋部１２は、タンク部１１の上面を全体的に覆うように、タンク部１１の上部に着脱自在に取り付けられる。蓋部１２の上面には、押しボタン式の手動操作装置２０（図２参照）が設けられる。手動操作装置２０は、使用者がボタン２１を押下操作することで、たとえば、小洗浄モードの洗浄操作または大洗浄モードの洗浄操作のいずれかの洗浄モードに応じて、所定流量の洗浄水が洗浄水タンク１０から便器２側へ供給される。
【００２９】
たとえば、洗浄水タンク１０は、１．５Ｌ（リットル）〜６Ｌの洗浄水量を便器２へ供給可能に構成され、好ましくは、１．５Ｌ〜３．８Ｌの洗浄水量で便器２を洗浄する、節水タイプの水洗大便器１における洗浄水タンク１０として用いることもできる。なお、洗浄水タンク１０の詳細については、図２および図３を用いて後述する。
【００３０】
水洗大便器１は、便器２と洗浄水タンク１０とが別々に設けられたタイプであってもよい。また、水洗大便器１は、便器２と洗浄水タンク１０とが一体に設けられた、いわゆるワンピースタイプであってもよい。なお、水洗大便器１は、たとえば陶器製である。また、洗浄水タンク１０は、たとえば陶器製である。
【００３１】
水洗大便器１の便器２は、上記したボウル部３と、リム部４とを備える。ボウル部３の底部には、排水トラップ管路５の入口５ａが設けられ、入口５ａから後方の排水トラップ管路５がたとえば排水ソケットを介して床下の排水管（図示省略）に接続される。
【００３２】
また、便器２は、導水路６と、第１吐水口６ａと、第２吐水口６ｂとを備える。導水路６は、タンク部１１の排水口１３から排出される洗浄水が流入する。第１吐水口６ａは、たとえば、リム部４の左側中央部に配置され、洗浄水を吐出する。第２吐水口６ｂは、たとえば、リム部４の右側後部に配置され、洗浄水を吐出する。
【００３３】
また、導水路６は、洗浄水タンク１０のタンク部１１の後方から前方へ向けて延びた後に分岐されて第１吐水口６ａまたは第２吐水口６ｂまで延びる流路である。タンク部１１の排水口１３から排出された洗浄水は、導水路６において便器２の後方から前方へ向けて流れた後に分岐され、第１吐水口６ａまたは第２吐水口６ｂに到達する。第１吐水口６ａまたは第２吐水口６ｂのそれぞれから吐出された洗浄水は、ボウル部３を洗浄して汚物を排水トラップ管路５から排出する。
【００３４】
なお、水洗大便器１は、サイホン作用を利用してボウル部３内の汚物を引き込んで排水トラップ管路５から排出する、いわゆるサイホン式である。また、水洗大便器１では、たとえば、第１吐水口６ａから吐出された洗浄水が旋回しながら下降してボウル部３を洗浄する。また、水洗大便器１では、たとえば、第２吐水口６ｂから吐出された洗浄水が水流を発生させる。
【００３５】
なお、水洗大便器１は、サイホン式に限定されない。水洗大便器１は、たとえば、ボウル部３内の洗浄水の落差による流水作用で汚物を押し流す、いわゆる洗い落し式であってもよい。
【００３６】
＜２．洗浄水タンク＞
次に、図２および図３を参照して実施形態に係る洗浄水タンク１０について説明する。図２は、実施形態に係る洗浄水タンク１０の概略正断面図である。図３は、実施形態に係る洗浄水タンク１０の概略右側断面図である。なお、詳しくは、図２は、図１におけるＡ−Ａ線断面図であり、図３は、図１におけるＢ−Ｂ線断面図である。
【００３７】
図２および図３に示すように、洗浄水タンク１０は、上記したタンク部１１内に、給水装置１５と、手動操作装置２０と、排水弁装置５０とを備える。給水装置１５は、タンク部１１内に洗浄水を供給する。給水装置１５は、給水管１６と、給水バルブ１７と、フロート１８とを備える。給水管１６は、たとえば外部給水源（図示省略）に接続され、かつ、タンク部１１の底面１１ａから上方へ延びて設けられる。
【００３８】
給水バルブ１７は、給水管１６の上部に取り付けられる。給水バルブ１７は、給水管１６から供給される洗浄水のタンク部１１内への吐水と止水とを切り替える。フロート１８は、タンク部１１内の水位の変動に応じて上下動して、給水バルブ１７による吐水と止水とを切り替える。
【００３９】
給水装置１５では、給水管１６の下端部に複数の吐水口が形成され、給水バルブ１７を通過した洗浄水が吐水口からタンク部１１内へ吐水される。
【００４０】
給水装置１５では、排水弁装置５０による排水口１３の開放によってタンク部１１内の洗浄水が便器２（図１参照）へ排水されると、洗浄水の水位が低下してフロート１８が下降する。給水装置１５では、フロート１８が下降することで、給水バルブ１７が開いて吐水口からの吐水が開始され、給水源からタンク部１１内への吐水が開始される。
【００４１】
給水源の吐水が継続されてタンク部１１内の水位が上昇すると、フロート１８が上昇し、フロート１８の上昇によって給水バルブ１７が閉鎖されて吐水口からの吐水が止まる。これにより、タンク部１１内の洗浄水の水位が、満水時の所定水位（「止水水位」ともいう）ＷＬに維持される。
【００４２】
なお、給水装置１５は、リフィール管１９などをさらに備える。給水装置１５では、リフィール管１９から流出する一部の洗浄水がオーバーフロー管５１８内へ流れ込み、便器２の導水路６（図１参照）を経て、補給水としてボウル部３（図１参照）内へ供給される。
【００４３】
手動操作装置２０は、上記したように、押しボタン式の操作装置である。手動操作装置２０は、操作ボタン２１と、押下部材２２とを備える。操作ボタン２１は、小洗浄ボタン２１ａと、大洗浄ボタン２１ｂとを備える。小洗浄ボタン２１ａは、水洗大便器１（図１参照）の小洗浄モードの洗浄操作の開始を機械的に指令する。大洗浄ボタン２１ｂは、水洗大便器１の大洗浄モードの洗浄操作の開始を機械的に指令する。
【００４４】
押下部材２２は、小洗浄押下部材２２ａと、大洗浄押下部材２２ｂとを備える。小洗浄押下部材２２ａは、小洗浄ボタン２１ａの下面から下方へ延びて設けられる。小洗浄押下部材は２２ａは、使用者によって小洗浄ボタン２１ａが押下された場合に排水弁装置５０の小洗浄操作部５３１を押し下げる。
【００４５】
大洗浄押下部材２２ｂは、大洗浄ボタン２１ｂの下面から下方へ延びて設けられる。大洗浄押下部材は２２ｂは、使用者によって大洗浄ボタン２１ｂが押下された場合に排水弁装置５０の大洗浄操作部５３２を押し下げる。手動操作装置２０では、使用者による小洗浄ボタン２１ａまたは大洗浄ボタン２１ｂの押下操作によって、排水弁装置５０を小洗浄モードまたは大洗浄モードで動作させる。
【００４６】
なお、本実施形態では、手動操作装置２０は、小洗浄ボタン２１ａまたは大洗浄ボタン２１ｂの押下操作によって排水弁装置５０の軸部５２２（および弁体５２１）を引き上げ操作する操作装置としているが、これに限定されない。手動操作装置２０は、たとえば、操作ハンドルの回転操作によってワイヤ巻取装置を操作して、ワイヤを引き上げることで軸部５２２を引き上げ操作する操作装置であってもよい。
【００４７】
＜３．排水弁装置＞
次に、図２〜図４を参照して実施形態に係る排水弁装置５０について説明する。図４は、実施形態に係る排水弁装置５０の概略平断面図である。なお、詳しくは、図４は、図２におけるＣ−Ｃ線断面図である。
【００４８】
図２〜図４に示すように、排水弁装置５０は、ケーシング５１と、弁部５２と、引き上げ部５３と、小洗浄フロート機構５４と、大洗浄フロート機構５５とを備える。ケーシング５１は、円筒状に形成され、排水弁装置５０の外観を形成する。ケーシング５１は、弁部５２、小洗浄フロート機構５４および大洗浄フロート機構５５のそれぞれの上方および側方を覆うようにこれらを内部に有する。
【００４９】
また、ケーシング５１は、胴部５１１と、蓋部５１２と、排水口部５１３とを備える。胴部５１１は、上面が開口され、ケーシング５１の側周面を形成するように筒状に形成される。胴部５１１は、側周面において洗浄水が通過可能な複数のスリット５１１ａを有する。蓋部５１２は、胴部５１１の開口部分を覆うように、胴部５１１の形状にあわせて形成される。蓋部５１２は、係合部の係合によって、胴部５１１に対して固定される。なお、胴部５１１と蓋部５１２とは、最初から一体ものとして形成されてもよい。
【００５０】
排水口部５１３は、本体部５１４と、縮径部５１５と、弁座５１６と、オーバーフロー管接続部５１７とを備える。本体部５１４は、円筒状に形成され、タンク部１１の排水口１３に取り付けられる。縮径部５１５は、本体部５１４の内周面に設けられ、下方へ向けて縮径する部位である。弁座５１６は、縮径部５１５の上端縁に沿って円環状に形成されるとともに、上方へ向けて突出して設けられる。
【００５１】
オーバーフロー管接続部５１７は、オーバーフロー管５１８の下部と排水口部５１３の本体部５１４とを接続する。また、オーバーフロー管接続部５１７は、オーバーフロー管５１８の下部と排水口部５１３の本体部５１４とを連通させる。なお、オーバーフロー管５１８は、タンク部１１内の洗浄水が規定高さ水位を超える場合に、洗浄水を排水弁装置５０へ流入させて、オーバーフローを防止する。
【００５２】
また、ケーシング５１には、排水口１３の弁座５１６よりも上方に、周方向に並んだ複数の連通口５１９が設けられる。なお、連通口５１９の開口断面は、正面視（Ｙ軸の負方向視）において矩形状に形成される。また、連通口５１９は、タンク部１１の内部と本体部５１４の内部とを連通させ、タンク部１１内の洗浄水を排水口１３へ流出する。
【００５３】
弁部５２は、タンク部１１の底面１１ａに設けられた排水口１３を開閉する。弁部５２は、弁体５２１と、軸部５２２と、取付部５２３（図３参照）とを備える。弁体５２１は、排水口部５１３内において排水口１３の上方に設けられ、排水口１３を開閉する。
【００５４】
弁体５２１は、排水口１３を閉鎖可能に、たとえば円板状に形成される。弁体５２１は、最も下降した状態で弁座５１６上に配置される。また、弁体５２１は、最も上昇した状態で排水口部５１３の頂部に配置される。
【００５５】
軸部５２２は、弁体５２１の上方に設けられるとともに、弁体５２１から上方に延びて設けられる。すなわち、軸部５２２は、軸方向の下端部に弁体５２１を有する。軸部５２２は、軸方向の上端部側が、小洗浄ボタン２１ａまたは大洗浄ボタン２１ｂによって操作される引き上げ部５３と連結される。
【００５６】
取付部５２３は、軸部５２２と引き上げ部５３とを連結する。取付部５２３は、軸部５２２から側方へ延びる直方体状の平板部材の中央付近に形成された取付穴５２５（図３参照）を有する。取付穴５２５は、矩形状の開口部である。なお、弁部５２の軸部５２２の詳細については、図６Ａ〜図６Ｃを用いて後述する。
【００５７】
引き上げ部５３は、ケーシング５１の外部からの操作によって、弁部５２を上方へ引き上げる。より具体的には、引き上げ部５３は、軸部５２２を上方へ引き上げる。引き上げ部５３は、小洗浄操作部５３１と、大洗浄操作部５３２と、第１リンク５３３と、第２リンク５３４とを備える。
【００５８】
小洗浄操作部５３１は、ケーシング５１の蓋部５１２の上面に配置され、かつ、上下方向に摺動可能に設けられる。大洗浄操作部５３２は、ケーシング５１の蓋部５１２の上面に配置され、かつ、上下方向に摺動可能に設けられる。
【００５９】
第１リンク５３３（図３参照）は、小洗浄操作部５３１または大洗浄操作部５３２が下方へ押し込まれると、回転軸を中心に回転する。第２リンク５３４（図３参照）は、第１リンク５３３の一端部に回転可能に取り付けられ、第１リンク５３３の回転に伴い上方へ移動する。
【００６０】
また、第１リンク５３３は、小洗浄操作部５３１の比較的小さい押し込み移動量に対応して比較的小さい回転量で回転する。また、第１リンク５３３は、大洗浄操作部５３２の比較的大きい押し込み移動量に対応して比較的大きい回転量で回転する。
【００６１】
図３に示すように、第２リンク５３４は、下端部が取付部５２３の取付穴５２５に挿入され、向きを変えて配置される。このため、第２リンク５３４は、上方へ移動することで取付部５２３の下面と係合して、取付部５２３を介して弁部５２を引き上げる。
【００６２】
小洗浄フロート機構５４は、排水弁装置５０に、小洗浄モードにおける開弁動作を開始させる。小洗浄フロート機構５４は、フロート部５４１と、カム係合部５４２とを備える。なお、小洗浄フロート機構５４は、たとえば樹脂製である。
【００６３】
フロート部５４１は、タンク部１１内の水位ＷＬが所定の小洗浄水量を排出する水位（死水水位）ＤＷＬ（図５Ａ参照）まで低下する場合に、タンク部１１内の水位ＷＬと共に下降する。カム係合部５４２は、弁部５２の軸部５２２に係合可能に形成される。また、カム係合部５４２は、フロート部５４１が下降すると、軸部５２２との係合が解除される。
【００６４】
また、フロート部５４１は、フロート５４３と、フロート支持軸５４４とを備える。フロート５４３は、浮力によってタンク部１１内の水位ＷＬの上昇に応じて上昇し、かつ、タンク部１１内の水位ＷＬの下降と共に下降する。フロート支持軸５４４は、上下方向に延びて設けられ、フロート５４３を支持する。
【００６５】
大洗浄フロート機構５５は、排水弁装置５０に、大洗浄モードにおける開弁動作を開始させる。大洗浄フロート機構５５は、フロート部５５１と、カム係合部５５２と、貯水部５５３とを備える。なお、大洗浄フロート機構５５は、たとえば樹脂製である。
【００６６】
フロート部５５１は、タンク部１１内の水位ＷＬが所定の大洗浄水量を排出する水位（死水水位）ＤＷＬ（図５Ｂ参照）まで低下する場合に、タンク部１１内の水位ＷＬと共に下降する。カム係合部５５２は、弁部５２の軸部５２２に係合可能に形成される。また、カム係合部５５２は、フロート部５５１が下降すると、軸部５２２との係合が解除される。貯水部５５３は、フロート部５５１を収容する。
【００６７】
フロート部５５１は、所定高さの柱状に形成される。フロート部５５１は、貯水部５５３内に大部分が配置され、貯水部５５３内の水位に応じて浮力が作用する。フロート部５５１は、小洗浄フロート機構５４のフロート部５４１よりも低い位置に配置される。
【００６８】
カム係合部５５２は、たとえば、一対のアーム部５５４と、一対の回転軸５５５と、係合凹部５５６とを備える。一対のアーム部５５４は、フロート部５５１の上端部から弁部５２の軸部５２２の反対側へ向けて斜め上方へ直線的に延びて設けられる。一対の回転軸５５５は、アーム部５５４の上端部から外側へ向けて突出して設けられる。係合凹部５５６は、アーム部５５４の上端部に設けられるとともに、軸部５２２の突起部５２４と係合可能に設けられる。
【００６９】
貯水部５５３は、排水口部５１３の上部に取り付けれ、大洗浄モードにおいて弁部５２の動作を制御する。貯水部５５３は、上部がケーシング５１内の上方へ向けて開口され、かつ、下部に穴（図示省略）が設けられる。貯水部５５３は、タンク部１１から洗浄水が排出される場合に、タンク部１１内の水位の下降速度と異なるように貯水部５５３内の水位の下降速度を制御する。これにより、貯水部５５３は、フロート部５５１の下降開始タイミングを制御することができる。
【００７０】
また、貯水部５５３内に貯留される洗浄水によるフロート部５５１に対する浮力がフロート部５５１の下向きの自重を上回っている場合には、フロート部５５１が貯水部５５３内で上昇する。また、フロート部５５１に対する浮力がフロート部５５１の下向きの自重を下回っている場合には、フロート部５５１が貯水部５５３内で下降する。
【００７１】
すなわち、貯水部５５３内にフロート部５５１が配置されることで、貯水部５５３内の水位の変動に応じて、フロート部５５１の上下動、すなわち、大洗浄フロート機構５５の回転軸５５５を中心とする回動を制御することができる。
【００７２】
貯水部５５３は、貯水部５５３の側周壁部の下方に、貯水部５５３内の洗浄水を貯水部５５３の外部のタンク部１１内へ流出させる流量調整用の小孔５５３ａが設けられる。小孔５５３ａは、スリット状に形成されるとともに、開口面積を変更可能に形成される。
【００７３】
また、貯水部５５３の貯水領域の水位の低下速度については、たとえば、小孔５５３ａの開口面積を調整して、開口面積を小さくするほど、貯水部５５３の外部の水位の低下速度との速度差が大きくなり、軸部５２２および弁体５２１の下降動作（閉弁動作）が開始されるタイミングが遅延する。
【００７４】
このため、排水終了時のタンク部１１内の水位（死水水位）が低くなり、大洗浄モードにおいてタンク部１１から便器２（図１参照）へ供給される洗浄水の総量が多くなるように設定される。
【００７５】
これと反対に、貯水部５５３の貯水領域の水位の低下速度について、たとえば、小孔５５３ａの開口面積を調整して、開口面積を大きくするほど、貯水部５５３の外部の水位の低下速度との速度差が小さくなり、軸部５２２および弁体５２１の下降動作（閉弁動作）が開始されるタイミングが早まる。
【００７６】
このため、排水終了時のタンク部１１内の死水水位ＤＷＬが高くなり、大洗浄モードにおいてタンク部１１から便器２へ供給される洗浄水の総量が少なくなるように設定される。
【００７７】
また、ケーシング５１の胴部５１１には、小孔５５３ａの近傍にケーシング開口（図示省略）が部分的に設けられる。ケーシング５１では、ケーシング開口によって、タンク部１１の内部と貯水部５５３の内部とが連通可能となる。このため、ケーシング５１では、貯水部５５３内の洗浄水を小孔５５３ａからケーシング開口を経てタンク部１１内へ流出させることができる。
【００７８】
なお、本実施形態では、大洗浄フロート機構５５に貯水部５５３を備えるが、大洗浄フロート機構５５に貯水部５５３を備えないものであってもよい。この場合、大洗浄フロート機構５５のフロート部５５１は、タンク部１１内の水位の変動に応じて上下動することとなる。
【００７９】
次に、図５Ａおよび図５Ｂを参照して排水弁装置５０の排水動作について説明する。図５Ａは、実施形態に係る排水弁装置５０の小洗浄排水動作の説明図である。図５Ｂは、実施形態に係る排水弁装置５０の大洗浄排水動作の説明図である。排水弁装置５０では、上記したように、小洗浄ボタン２１ａが押されると、小洗浄モードによる排水動作が開始され、大洗浄ボタン２１ｂが押されると、大洗浄モードによる排水動作が開始される。
【００８０】
図５Ａに示すように、排水弁装置５０の小洗浄モードにおける開弁時の状態では、使用者によって蓋部１２に設けられた小洗浄ボタン２１ａが押されると、かかる押下操作に応じて小洗浄操作部５３１が押し下げられる。小洗浄操作部５３１の押し下げにより、引き上げ部５３の第１リンク５３３が比較的小さな回転量だけ回転され、第２リンク５３４が比較的小さな引き上げ量だけ引き上げられる。
【００８１】
なお、第２リンク５３４の下端部が取付部５２３を引き上げると、弁部５２全体を引き上げることができる。弁部５２の軸部５２２が最高位置よりも低い位置まで引き上げられ、排水口１３が開放される。弁座５１６に対する弁体５２１の上昇高さが、大洗浄モードの上昇高さよりも低い位置となり、タンク部１１の排水弁装置５０による水洗大便器１の便器２への小洗浄モードの排水が開始される。洗浄水が排水口１３から排出され、タンク部１１内の水位ＷＬが低下を始める。
【００８２】
小洗浄モードにおける排水途中の状態では、排水口１３から便器２への排水に伴い、タンク部１１内の水位ＷＬおよびケーシング５１の内部の水位が低下し、水位の低下に連動してフロート５４３の浮力が減少し、フロート５４３がフロート支持軸５４４（図３参照）と共に下降する。
【００８３】
また、軸部５２２および弁体５２１がタンク部１１内の水位ＷＬの低下と共に下降し、小洗浄モードにおける閉弁動作が開始される。軸部５２２および弁体５２１が水位ＷＬの低下と共にさらに下降すると、弁体５２１が弁座５１６に当接し、排水口１３が閉止され、排水弁装置５０の小洗浄モードにおける排水が終了する。なお、図中、洗浄水の排出が終了した時点の水位が、小洗浄モードにおける死水水位ＤＷＬとなる。
【００８４】
図５Ｂに示すように、排水弁装置５０の大洗浄モードにおける開弁時の状態では、使用者によって蓋部１２に設けられた大洗浄ボタン２１ｂが押されると、かかる押下操作に応じて大洗浄操作部５３２が押し下げられる。大洗浄操作部５３２の押し下げにより、引き上げ部５３の第１リンク５３３が比較的大きな回転量だけ回転され、第２リンク５３４が比較的大きな引き上げ量だけ引き上げられる。
【００８５】
なお、第２リンク５３４の下端部が取付部５２３を引き上げると、弁部５２全体を引き上げることができる。弁部５２の軸部５２２が最高位置まで引き上げられ、排水口１３が開放される。弁座５１６に対する弁体５２１の上昇高さが、大洗浄モードの上昇高さとなり、タンク部１１の排水弁装置５０による水洗大便器１の便器２への大洗浄モードの排水が開始される。洗浄水が排水口１３から排出され、タンク部１１内の水位ＷＬが低下を始める。
【００８６】
大洗浄モードにおける排水途中の状態では、排水口１３から便器２への排水に伴い、タンク部１１内の水位ＷＬおよびケーシング５１の内部の水位が低下し、水位の低下に連動してフロート５４３の浮力が減少し、フロート５４３がフロート支持軸５４４（図３参照）と共に下降する。
【００８７】
また、軸部５２２および弁体５２１がタンク部１１内の水位ＷＬの低下と共に下降し、大洗浄モードにおける閉弁動作が開始される。軸部５２２および弁体５２１が水位ＷＬの低下と共にさらに下降すると、弁体５２１が弁座５１６に当接し、排水口１３が閉止され、排水弁装置５０の大洗浄モードにおける排水が終了する。なお、図中、洗浄水の排出が終了した時点の水位が、大洗浄モードにおける死水水位ＤＷＬとなる。
【００８８】
次に、図６Ａ〜図６Ｃを参照して排水弁装置５０において直動する軸部５２２について説明する。図６Ａは、実施形態に係る排水弁装置５０の軸部５２２の概略正面視図である。図６Ｂは、実施形態に係る排水弁装置５０の軸部５２２のリブ部６０の概略拡大側面視図である。図６Ｃは、実施形態に係る排水弁装置５０の摺動面６１の概略拡大斜視図である。なお、図６Ｂは、図６ＡにおけるＡ部をＡ０方向から見た図である。
【００８９】
上記したように、軸部５２２は、弁体５２１（図２および図３参照）の上方に設けられるとともに、弁体５２１から上方に延びて設けられる。軸部５２２は、ケーシング５１の胴部５１１（図４参照）内に設けられた軸ガイド部７０（図１０Ａおよび図１０Ｂ参照）にガイドされて軸方向に移動可能に設けられる。すなわち、軸部５２２は、上下方向に直動可能に設けられる。
【００９０】
図６Ａに示すように、軸部５２２は、上端部に、第１連結部６５と、第２連結部６６とを備える。第１連結部６５と第２連結部６６とは、軸部５２２の上端部から水平方向における互いに反対となる向きに延びて設けられる。なお、図示の例では、第１連結部６５は直線状に形成され、第２連結部６６はアーチ状に形成される。
【００９１】
なお、図６Ｃに示すように、第１連結部６５および第２連結部６６には、それぞれ長穴状のスリット６５ａ，６６ａが設けられる。第１連結部６５のスリット６５ａには、小洗浄ボタン２１ａまたは大洗浄ボタン２１ｂ（図２参照）の押下操作によって軸部５２２を引き上げ操作するための引き上げ部材（図示省略）が挿通される。軸部５２２は、第１連結部６５を介して、小洗浄ボタン２１ａまたは大洗浄ボタン２１ｂの押下操作によって上方へ引き上げられる。
【００９２】
また、第２連結部６６のスリット６６ａには、操作ハンドルの回転操作によって巻取操作されるワイヤ巻取装置のワイヤが挿通される。軸部５２２は、第２連結部６６にワイヤが取り付けられた場合、ワイヤの引き上げ操作によって上方へ引き上げられる。すなわち、第１連結部６５は操作ボタン用の連結部であり、第２連結部６６は操作ハンドル用の連結部である。
【００９３】
図６Ａに示すように、軸部５２２は、外側周面に上下方向に連続して軸部５２２の直動をガイドするリブ部６０を有する。リブ部６０は、上下方向に連続する直線状の凸状部位である。なお、軸部５２２の摺動面６１は、リブ部６０の外側端面となる。
【００９４】
また、軸部５２２は、外側周面に軸ガイド部７０の内側周面７１（図１０Ａ参照）に設けられた被摺動面７２に対して摺動する摺動面６１を備える。なお、摺動面６１および被摺動面７２とは、軸部５２２が引き上げ操作される場合に、互いに接触し合う面である。
【００９５】
ここで、上記したように、排水弁装置５０では、便器２を洗浄操作するたびに、軸部５２２を引き上げ操作する。この場合、軸部５２２の摺動面６１が軸ガイド部７０の被摺動面７２に対して摺動する動作を繰り返す。このため、長期間の使用によって摺動面６１および被摺動面７２が鏡面のように磨かれることがある。
【００９６】
このように、摺動面６１および被摺動面７２が共に鏡面のようになると、摺動面６１および被摺動面７２の親和性が増して、摺動抵抗が増大し、軸部５２２の引き上げ操作に強い力が必要となり、操作性および耐久性が悪化する。そこで、排水弁装置５０では、軸部５２２の摺動面６１および軸ガイド部７０の被摺動面７２について、摺動抵抗の増大を抑制可能な構成とした。
【００９７】
かかる構成として、排水弁装置５０では、軸ガイド部７０の被摺動面７２と接触する軸部５２２の摺動面６１を、軸部５２２の上下方向の移動に伴い流動的に変化するような形状、すなわち、軸部５２２が上下方向のいずれかへ進むにつれて流動的に変化するような形状とする。
【００９８】
具体的には、図６Ｂに示すように、軸部５２２のリブ部６０における摺動面６１に、凸部６２と、凹部６３とが設けられる。凸部６２は、ひし形状である。また、摺動面６１において、複数のひし形状の凸部６２が上下方向に直列に配置されるとともに、凸部６２の列が複数配置される。また、摺動面６１において、凸部６２が設けられていない部分、すなわち、凸部６２と凸部６２との間が凹部６３となる。図６Ｂに示すように、凹部６３は、メッシュ状となる。
【００９９】
図６Ｃに示すように、軸部５２２の摺動面６１では、凸部６２と凹部６３とが、軸部５２２が上下方向に移動する場合に、軸ガイド部７０の被摺動面７２に対して流動的に変化する形状である。
【０１００】
また、たとえば、図６Ｂに示す向きから見た状態を側面視、図６Ａに示す向きから見た状態を正面視とした場合に、摺動面６１では、側面視において軸部５２２の移動方向、すなわち、上下方向に凸部６２と凹部６３とが交互に連続する形状であり、かつ、正面視において、凸部６２によって形成される軸部５２２の外側端縁が軸部５２２の移動方向、すなわち、上下方向に連続する直線状の稜線となる形状である。
【０１０１】
かかる構成によれば、軸部５２２が移動する場合に、摺動面６１および被摺動面７２の両面は、摺動方向（軸部５２２の移動方向、すなわち、上下方向）に連続的に接触するものの、互いの接触部分が変化する。このため、任意の位置においては摺動面６１および被摺動面７２の両面の同じ部分の連続接触が抑制され、たとえば、軸部５２２の引き上げを多数回行うことによって、摺動面６１および被摺動面７２の両面が研磨されることによる親和性の増大を抑えることができる。
【０１０２】
これにより、摺動面６１および被摺動面７２の両面の摺動抵抗の増大を抑えることができる。摺動面６１および被摺動面７２の両面の摺動抵抗の増大を抑えることで、軸部５２２の引き上げ操作に必要な力が増大するのを抑えることができる。すなわち、軸部５２２の引き上げ操作にかかる操作性、および軸部５２２の移動機構、すなわち、軸部５２２および軸ガイド部７０の耐久性を向上させることができる。
【０１０３】
また、たとえば、摺動面６１および被摺動面７２の両面の間に異物が入り込んでも、摺動面６１および被摺動面７２の接触していない部分に異物を逃がすことができるため、軸部５２２の移動に対する悪影響を抑えることができる。これにより、軸部５２２の移動機構、すなわち、軸部５２２および軸ガイド部７０の耐久性を向上させることができる。
【０１０４】
また、上記した軸部５２２の摺動面６１では、凸部６２をひし形状、凹部６３をメッシュ状としたが、凸部６２の形状と凹部６３の形状とが反対であってもよい。すなわち、ひし形状の凹部を設けた場合には、凹部以外の部分が図６Ｂに示すようなメッシュ状となるため、かかるメッシュ状部分を凸部として有してもよい。かかる構成としても、上記した排水弁装置５０の軸部５２２と同様の効果が得られる。
【０１０５】
また、軸部５２２は、上記したように、弁体５２１（図３参照）の中心から上方へ延びている。ここで、軸部５２２は、引き上げ部５３（図３参照）との連結部である第１連結部６５または第２連結部６６が平面視において弁体５２１の中心から外れている。
【０１０６】
かかる構成によれば、上記した軸部５２２のように、軸部５２２および引き上げ部５３の連結部（第１連結部６５、第２連結部６６）が弁体５２１の中心から外れている場合、引き上げ部５３による軸部５２２の引き上げ操作によって、回転モーメントが発生して摺動面６１および被摺動面７２において局所的に大きな力が加わっても、両面の摺動抵抗の増大を抑えられ、軸部５２２の引き上げ操作に必要な力が増大するのを抑えることができる。
【０１０７】
また、軸部５２２の摺動面６１は、軸部５２２の全長にわたって凸部６２と凹部６３とを有しているが、たとえば、図６Ａに示すように、領域Ｂ１，Ｂ２に凸部６２と凹部６３とを有してもよい。軸部５２２は、上記したように、第１連結部６５または第２連結部６６が引き上げられるため、軸部５２２に回転モーメントが発生する。このため、領域Ｂ１，Ｂ２に対しては他の部分よりも摩擦が大きい。したがって、領域Ｂ１，Ｂ２だけに凸部６２と凹部６３とを有しても、十分な効果が得られる。
【０１０８】
＜４．摺動面の変形例＞
次に、図７〜図９を参照して排水弁装置５０の摺動面６１の変形例１〜３について説明する。図７〜図９は、実施形態に係る排水弁装置５０の摺動面６１の変形例１〜３の概略拡大斜視図である。なお、図７〜図９には、軸部５２２を図６Ｃと同じ方向から見た場合を示している。
【０１０９】
図７に示すように、変形例１の摺動面６１Ａは、リブ部６０に、三角形状の複数の凸部６２Ａがそれぞれの頂点を外方へ向けた状態で上下方向に接続されて連続する形状で設けられる。なお、変形例１の摺動面６１Ａにおいて凸部６２Ａ以外の部分が凹部６３Ａとなる。
【０１１０】
また、変形例１では、三角形状の複数の凹部６３Ａが凸部６２Ａの両側方において上下方向に連続する。かかる変形例１の構成としても、軸部５２２の上下方向の移動に伴い流動的に変化するような形状となり、上記した排水弁装置５０の軸部５２２と同様の効果が得られる。
【０１１１】
また、変形例１においても、凸部６２Ａの形状と凹部６３Ａの形状とが反対であってもよい。かかる構成としても、軸部５２２の上下方向の移動に伴い流動的に変化するような形状となり、上記した排水弁装置５０の軸部５２２と同様の効果が得られる。
【０１１２】
図８に示すように、変形例２の摺動面６１Ｂは、リブ部６０に、矩形状の複数の凸部６２Ｂが互い違いとなって上下方向に接続されて連続する形状で設けられる。なお、変形例２の摺動面６１Ｂにおいても、凸部６２Ｂ以外の部分が凹部６３Ｂとなる。
【０１１３】
また、変形例２では、矩形状の複数の凸部６２Ｂと矩形状の複数の凹部６３Ｂとが上下方向に交互に連続する。したがって、かかる変形例２の構成としても、軸部５２２の上下方向の移動に伴い流動的に変化するような形状となり、上記した排水弁装置５０の軸部５２２と同様の効果が得られる。
【０１１４】
また、変形例２においても、凸部６２Ｂの形状と凹部６３Ｂの形状とが反対であってもよい。かかる構成としても、軸部５２２の上下方向の移動に伴い流動的に変化するような形状となり、上記した排水弁装置５０の軸部５２２と同様の効果が得られる。
【０１１５】
図９に示すように、変形例３の摺動面６１Ｃには、リブ部６０に、上下方向に途切れずに連続する波形状の凸部６２Ｃが設けられる。かかる波形状の凸部６２Ｃを「リブ」ともいう。なお、変形例３の摺動面６１Ｃにおいても、凸部６２Ｃ以外の部分が凹部６３Ｃとなる。
【０１１６】
また、変形例３では、波形状の凸部６２Ｃが上下方向に途切れずに連続するため、軸部５２２の上下方向の移動に伴い流動的に変化するような形状である。したがって、かかる変形例３の構成としても、上記した排水弁装置５０の軸部５２２と同様の効果が得られる。なお、図９に示すように、波形状の凸部６２Ｃは、たとえば、１サイクルの長さＰが、好ましくは、２．８ｍｍであり、さらに好ましくは、１．６ｍｍである。
【０１１７】
また、変形例３においても、凸部６２Ｃの形状と凹部６３Ｃの形状とが反対であってもよい。かかる構成としても、軸部５２２の上下方向の移動に伴い流動的に変化するような形状となり、上記した排水弁装置５０の軸部５２２と同様の効果が得られる。
【０１１８】
＜５．他の例の胴部＞
次に、図１０Ａおよび図１０Ｂを参照して、他の例のケーシング５１の胴部５１１について説明する。図１０Ａは、他の例のケーシング５１の胴部５１１の概略正面視図である。図１０Ｂは、他の例のケーシング５１の胴部５１１の軸ガイド部７０の被摺動面７２の概略拡大正面視図である。なお、詳しくは、図１０Ｂは、図１０ＡにおけるＣ部拡大図である。
【０１１９】
図１０Ａに示すように、ケーシング５１（図４参照）の胴部５１１には、引き上げ部５３（図３参照）による軸部５２２（図４参照）の引き上げ操作に伴う上下方向の移動をガイドする軸ガイド部７０が設けられる。軸ガイド部７０は、軸部５２２の外側周面に設けられる。また、軸ガイド部７０は、軸部５２２の軸方向に沿って設けられる。
【０１２０】
軸ガイド部７０は、軸部５２２のリブ部６０が挿通される内側周面７１に、軸部５２２の摺動面６１を摺動させる被摺動面としてのガイド面７２を備える。排水弁装置５０では、軸部５２２の摺動面６１と接触する軸ガイド部７０の被摺動面７２を、軸部５２２の上下方向の移動に伴い流動的に変化するような形状、すなわち、軸部５２２が上下方向のいずれかへ進むにつれて流動的に変化するような形状とする。
【０１２１】
具体的には、図１０Ｂに示すように、軸ガイド部７０の被摺動面７２に、凸部７３と、凹部７４とが設けられる。凸部７３は、ひし形状である。また、被摺動面７２において、複数のひし形状の凸部７３が上下方向に直列に配置されるとともに、凸部７３の列が複数配置される。また、被摺動面７２において、凸部７３が設けられていない部分、すなわち、凸部７３と凸部７３との間が凹部７４となる。図１０Ｂに示すように、凹部７４は、メッシュ状となる。
【０１２２】
図１０Ｂに示すように、軸ガイド部７０の被摺動面７２では、凸部７３と凹部７４とが、軸部５２２が上下方向に移動する場合に、軸部５２２の摺動面６１に対して流動的に変化する形状である。
【０１２３】
また、たとえば、図１０Ｂに示す向きから見た状態を側面視、図１０Ａに示す向きから見た状態を正面視とした場合に、被摺動面７２では、側面視において軸部５２２の移動方向、すなわち、上下方向に凸部７３と凹部７４とが交互に連続する形状であり、かつ、正面視において、内側周面７１上に凸部７３によって形成される端縁が軸部５２２の移動方向、すなわち、上下方向に連続する直線状の稜線となる形状である。
【０１２４】
かかる構成によれば、軸部５２２が移動する場合に、摺動面６１および被摺動面７２の両面は、摺動方向（軸部５２２の移動方向、すなわち、上下方向）に連続的に接触するものの、互いの接触部分が変化する。このため、任意の位置においては摺動面６１および被摺動面７２の両面の同じ部分の連続接触が抑制され、たとえば、軸部５２２の引き上げを多数回行うことによって、摺動面６１および被摺動面７２の両面が研磨されることによる親和性の増大を抑えることができる。
【０１２５】
これにより、摺動面６１および被摺動面７２の両面の摺動抵抗の増大を抑えることができる。摺動面６１および被摺動面７２の両面の摺動抵抗の増大を抑えることで、軸部５２２の引き上げ操作に必要な力が増大するのを抑えることができる。すなわち、軸部５２２の引き上げ操作にかかる操作性、および軸部５２２の移動機構、すなわち、軸部５２２および軸ガイド部７０の耐久性を向上させることができる。
【０１２６】
また、たとえば、摺動面６１および被摺動面７２の両面の間に異物が入り込んでも、摺動面６１および被摺動面７２の接触していない部分（凹部７４）に異物を逃がすことができるため、軸部５２２の移動に対する悪影響を抑えることができる。これにより、軸部５２２の移動機構、すなわち、軸部５２２および軸ガイド部７０の耐久性を向上させることができる。
【０１２７】
また、上記した軸ガイド部７０の被摺動面７２では、凸部７３をひし形状、凹部７４をメッシュ状としたが、凸部７３の形状と凹部７４の形状とが反対であってもよい。すなわち、ひし形状の凹部を設けた場合には、凹部以外の部分が図１０Ｂに示すようなメッシュ状となるため、かかるメッシュ状部分を凸部として有してもよい。かかる構成としても、上記した排水弁装置５０の軸ガイド部７０と同様の効果が得られる。
【０１２８】
また、上記した軸ガイド部７０の被摺動面７２に、図７〜図９に示すような凸部と凹部とを設けてもよい。かる構成としても、軸部５２２の上下方向の移動に伴い流動的に変化するような形状となり、上記した排水弁装置５０の軸ガイド部７０と同様の効果が得られる。
【０１２９】
また、上記した排水弁装置５０を備える洗浄水タンク１０によれば、軸部５２２が移動する場合に、摺動面６１および被摺動面７２の摺動抵抗の増大を抑えることができる。これにより、軸部５２２の引き上げ操作に必要な力が増大するのを抑えることができる。すなわち、排水弁装置５０における軸部５２２の引き上げ操作にかかる操作性、および軸部５２２の移動機構、すなわち、軸部５２２および軸ガイド部７０の耐久性を向上させることができる。
【０１３０】
また、上気した洗浄水タンク１０を備える水洗大便器１によれば、排水弁装置５０の軸部５２２が移動する場合に、摺動面６１および被摺動面７２の摺動抵抗の増大を抑えることができる。これにより、軸部５２２の引き上げ操作に必要な力が増大するのを抑えることができる。すなわち、排水弁装置５０における軸部５２２の引き上げ操作にかかる操作性、および軸部５２２の移動機構、すなわち、軸部５２２および軸ガイド部７０の耐久性を向上させることができる。
【０１３１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１３２】
１    水洗大便器
２    便器本体（便器）
３    ボウル部
４    リム部
５    排水トラップ管路
５ａ  入口
６    導水路
６ａ  第１吐水口
６ｂ  第２吐水口
１０    洗浄水タンク
１１    タンク部
１１ａ  底面
１２    蓋部
１３    排水口
１５    給水装置
１６    給水管
１７    給水バルブ
１８    フロート
１９    リフィール管
２０    手動操作装置
２１    操作ボタン
２１ａ  小洗浄ボタン
２１ｂ  大洗浄ボタン
２２    押下部材
２２ａ  小洗浄押下部材
２２ｂ  大洗浄押下部材
５０    排水弁装置
５１    ケーシング
５２    弁部
５３    引き上げ部
５４    小洗浄フロート機構
５５    大洗浄フロート機構
６０    リブ部
６１    摺動面
６２    凸部
６３    凹部
６５    第１連結部
６６    第２連結部
７０    軸ガイド部
７１    内側周面
７２    被摺動面（ガイド面）
７３    凸部
７４    凹部
５１１    胴部
５１１ａ  スリット
５１２    蓋部
５１３    排水口部
５１４    本体部
５１５    縮径部
５１７    オーバーフロー管接続部
５１８    オーバーフロー管
５１９    連通口
５２１    弁体
５２２    軸部
５２３    取付部
５２４    突起部
５２５    取付穴
５３１    小洗浄操作部
５３２    大洗浄操作部
５３３    第１リンク
５３４    第２リンク
５４１    フロート部
５４２    カム係合部
５４３    フロート
５４４    フロート支持軸
５５１    フロート部
５５２    カム係合部
５５３    貯水部
５５３ａ  小孔
５５４    アーム部
５５５    回転軸
５５６    係合凹部
【図１】
2018044412.tif 000003
【図２】
2018044412.tif 000004
【図３】
2018044412.tif 000005
【図４】
2018044412.tif 000006
【図５Ａ】
2018044412.tif 000007
【図５Ｂ】
2018044412.tif 000008
【図６Ａ】
2018044412.tif 000009
【図６Ｂ】
2018044412.tif 000010
【図６Ｃ】
2018044412.tif 000011
【図７】
2018044412.tif 000012
【図８】
2018044412.tif 000013
【図９】
2018044412.tif 000014
【図１０Ａ】
2018044412.tif 000015
【図１０Ｂ】
2018044412.tif 000016